(57)【要約】【課題】箱体の本体内部に手を挿入し、箱体内部に向けて高速で気流を送ることにより手を乾燥させる手乾燥装置において、センサに付着した水滴やゴミによる誤作動を防止した手乾燥装置を提供することを目的とする。【解決手段】回転または平行移動できる手検知部４と、手検知部４により閉止できる第二の吹き出し口６を設け、手検知部４を回転または平行移動することにより第二の吹き出し口６を開口して手挿入部３と風路１３を連通させる構成としたことにより、第二の吹き出し口６が開口した状態で送風することで、手検知部４表面に付着した水滴やゴミを除去することができ、誤動作の発生を防ぐことができる手乾燥装置が得られる。【選択図】図１
2014117549.tif 000002
【特許請求の範囲】
【請求項１】
本体は箱体であり、前記本体の外側には、使用者の有無を検知する人検知センサと、前記本体の天面に手を挿入できる手挿入部の開口を配置し、前記手挿入部には、前記手挿入部内の手を検知する手検知部と、前記手挿入部に入れられた手に向かって吹き出す第一の吹き出し口と、前記手検知部により閉止できる第二の吹き出し口を有し、前記本体の内部には、前記手挿入部に通じる風路に向かって送風する送風手段と、前記手検知部を回転または平行移動させる手検知部移動手段と、前記手検知部と前記人検知センサからの情報を用いて前記送風手段と前記手検知部移動手段の動作を制御する制御部を備え、前記風路は、前記手挿入部内の対向する内壁の裏側に沿ってそれぞれ形成され、前記内壁は、前記手検知部の一部を包囲する包囲壁を有し、前記第二の吹き出し口が、前記手検知部の回転または平行移動によって開口して、前記手挿入部と前記風路を連通させることを特徴とする手乾燥装置。
【請求項２】
手検知部は、円周面と平面を持つ筒状の形状で、前記平面を検知面としたものであり、包囲壁は、前記円周面に沿った曲面部を形成し、曲面部の上部に第二の吹き出し口を有するものであり、前記第二の吹き出し口は、前記検知面が手挿入部内へ向いて鉛直になっているときは前記手検知部の円周面によって閉止され、前記手検知部を回転させ、前記検知面が鉛直よりも所定の角度だけ上方を向いている場合に、開口することを特徴とする請求項１に記載の手乾燥装置。
【請求項３】
手検知部は、複数の平面で形成された筒状の形状で、前記複数の平面のうち一面を検知面とし、前記検知面は、手挿入部内へ向いて鉛直に配置し、前記検知面と背反する面は、風路側に配置しているものであり、包囲壁は、前記手検知部の上面と下面それぞれに沿わせた面を持ち、内部に装着された前記手検知部を手検知部移動手段によって平行移動させられる形状で、前記上面に沿わせた面に第二の吹き出し口を有するものであり、前記第二の吹き出し口は、前記手検知部が前記手挿入部側に位置しているときは前記手検知部の上面によって閉止され、前記手検知部を平行移動させ、前記包囲壁の奥側に位置している場合に開口することを特徴とする請求項１に記載の手乾燥装置。
【請求項４】
制御部は、手検知部の清浄が必要か否かを判断する清浄要否判定手段と、手乾燥動作、手検知部清浄動作、停止の３つのうちいずれか一つの動作を選択する動作選択手段と、前記動作選択手段の選択結果に基づいて手検知部移動手段の動作を制御する移動制御手段と、前記選択結果に基づいて送風手段の動作を制御する送風制御手段を備え、前記動作選択手段は、前記清浄要否判定手段からの信号と、手検知部からの信号と、人検知センサからの信号を用いて、手検知部からの信号が検知ありとなっている場合に手乾燥動作、手検知部が検知なしで人検知センサが検知ありとなっているときは停止、手検知部と人検知センサからの信号がともに検知なしとなっているときは、前記清浄要否判定手段により清浄が不要と判断された場合は停止、清浄が必要と判断された場合は手検知部清浄動作と判定することを特徴とする請求項２または３に記載の手乾燥装置。
【請求項５】
送風制御手段は、動作選択手段で手乾燥運転または手検知部清浄動作が選択された場合は、前記送風手段を駆動して送風させ、動作選択手段で停止が選択された場合は、前記送風手段を停止させ、移動制御手段は、動作選択手段で手乾燥運転または停止が選択された場合は、第二の吹き出し口を閉止するように手検知部移動手段を駆動し、動作選択手段で手検知部清浄動作が選択された場合は、前記第二の吹き出し口を開口するように手検知部移動手段を駆動することを特徴とする請求項４に記載の手乾燥装置。
【請求項６】
清浄要否判定手段は、過去の運転履歴を記憶する記憶手段を備え、運転時間の合計が所定の時間に達している場合または運転回数が所定の回数に達している場合は清浄必要と判定し、所定の時間または回数に達していない場合は清浄不要と判定することを特徴とする請求項４に記載の手乾燥装置。
【発明の詳細な説明】
【技術分野】
【０００１】
本発明は、洗浄後の濡れた手に風を当てて乾燥させる手乾燥装置に関するものである。
【背景技術】
【０００２】
従来、この種の手乾燥装置は、箱体の本体内部に手を挿入し、箱体内部に向けて高速で気流を送ることにより、手を乾燥させるものが知られている（例えば、特許文献１参照）。
【先行技術文献】
【特許文献】
【０００３】
【特許文献１】特許第３９９４６４７号公報
【発明の概要】
【発明が解決しようとする課題】
【０００４】
このような従来の手乾燥装置において、本体内部に入れられた手を検知するセンサを、手を挿入する手挿入部の上部に設けることにより、手が入れられたときに素早く反応し、確実に手が抜かれたタイミングで送風を停止できるという利点がある一方で、使用時に飛散した水滴やゴミがセンサに付着し、その水滴やゴミによってセンサが反応することによる誤動作が発生する恐れがあるという課題があった。
【０００５】
本発明は、上記課題を解決するものであり、センサに付着した水滴やゴミによる誤作動を防止する手乾燥装置を提供するものである。
【課題を解決するための手段】
【０００６】
そして、この目的を達成するために、本発明は、本体は箱体であり、前記本体の外側には、使用者の有無を検知する人検知センサと、前記本体の天面に手を挿入できる手挿入部の開口を配置し、前記手挿入部には、前記手挿入部内の手を検知する手検知部と、前記手挿入部に入れられた手に向かって吹き出す第一の吹き出し口と、前記手検知部により閉止できる第二の吹き出し口を有し、前記本体内部には、前記手挿入部に通じる風路に向かって送風する送風手段と、前記手検知部を回転または平行移動させる手検知部移動手段と、前記手検知部と前記人検知センサからの情報を用いて前記送風手段と前記手検知部移動手段の動作を制御する制御部を備え、前記風路は、前記手挿入部内の対向する内壁の裏側に沿ってそれぞれ形成され、前記内壁は、前記手検知部の一部を包囲する包囲壁を有し、前記第二の吹き出し口が、前記手検知部の回転または平行移動によって開口して、前記手挿入部と前記風路を連通させる手乾燥装置としたものであり、これにより所期の目的を達成するものである。
【発明の効果】
【０００７】
本発明によれば、手挿入部に入れられた手に向かって吹き出す第一の吹き出し口に加え、手検知部を清浄するために設けた第二の吹き出し口を有し、制御部で手検知部を回転または平行移動させることによって、第二の吹き出し口を自在に閉止または開口できる構成にしたことにより、制御部が手検知部と人検知センサからの情報を用いて送風手段と手検知部移動手段の動作を制御し、手検知部を回転または平行移動させることによって第二の吹き出し口の開口させることができ、第二の吹き出し口が開口した状態で送風することにより、手検知部表面に付着した水滴やゴミを除去することができ、誤動作の発生を防ぐことができるという効果が得られる。
【図面の簡単な説明】
【０００８】
【図１】本発明の実施の形態１の手乾燥装置の構成を示す斜視図
【図２】同実施の形態１の手乾燥装置の動作を示す本体上部の側断面図（（ａ）停止時または手乾燥動作時の図、（ｂ）手検知部清浄時の図）
【図３】同実施の形態１の手乾燥装置の構成を示すブロック図
【図４】同実施の形態２の手乾燥装置の動作を示す本体上部の側断面図（（ａ）停止時または手乾燥動作時の図、（ｂ）手検知部清浄時の図）
【図５】同実施の形態２の手乾燥装置の構成を示すブロック図
【発明を実施するための形態】
【０００９】
本発明の請求項１記載の手乾燥装置は、本体は箱体であり、前記本体の外側には、使用者の有無を検知する人検知センサと、前記本体の天面に手を挿入できる手挿入部の開口を配置し、前記手挿入部には、前記手挿入部内の手を検知する手検知部と、前記手挿入部に入れられた手に向かって吹き出す第一の吹き出し口と、前記手検知部により閉止できる第二の吹き出し口を有し、前記本体内部には、前記手挿入部に通じる風路に向かって送風する送風手段と、前記手検知部を回転または平行移動させる手検知部移動手段と、前記手検知部と前記人検知センサからの情報を用いて前記送風手段と前記手検知部移動手段の動作を制御する制御部を備え、前記風路は、前記手挿入部内の対向する内壁の裏側に沿ってそれぞれ形成され、前記内壁は、前記手検知部の一部を包囲する包囲壁を有し、前記第二の吹き出し口が、前記手検知部の回転または平行移動によって開口して、前記手挿入部と前記風路を連通させるという構成を有する。
【００１０】
これにより、制御部が手検知部と人検知センサからの情報を用いて送風手段と手検知部移動手段の動作を制御し、手検知部を回転または平行移動させることによって第二の吹き出し口を開口させることができ、第二の吹き出し口が開口した状態で送風手段によって送風することにより、手検知部表面に付着した水滴やゴミを除去することができ、誤動作の発生を防ぐことができる。
【００１１】
また、請求項２記載の手乾燥装置は、手検知部は、円周面と平面を持つ筒状の形状で、前記平面を検知面としたものであり、包囲壁は、前記円周面に沿った曲面部を形成し、曲面部の上部に第二の吹き出し口を有するものであり、前記第二の吹き出し口は、前記検知面が手挿入部内へ向いて鉛直になっているときは前記手検知部の円周面によって閉止され、前記手検知部を回転させ、前記検知面が鉛直よりも所定の角度だけ上方を向いている場合に、開口するという構成を有する。
【００１２】
これにより、手検知部移動手段が、手検知部を回転させることによって検知面を鉛直よりも所定の角度だけ上方を向かせ、第二の吹き出し口を開口した状態で送風すると、検知面に付着した水滴やゴミに対して送風による力と重力がともに検知面上を滑り落ちさせる方向に働くこととなるので、検知面に付着した水滴やゴミを効率良く除去でき、誤動作の発生を防ぐことができる。
【００１３】
また、請求項３記載の手乾燥装置は、手検知部は、複数の平面で形成された筒状の形状で、前記複数の平面のうち一面を検知面とし、前記検知面は、手挿入部内へ向いて鉛直に配置し、前記検知面と背反する面は、風路側に配置しているものであり、包囲壁は、前記手検知部の上面と下面それぞれに沿わせた面を持ち、内部に装着された前記手検知部を手検知部移動手段によって平行移動させられる形状で、前記上面に沿わせた面に第二の吹き出し口を有するものであり、前記第二の吹き出し口は、前記手検知部が前記手挿入部側に位置しているときは前記手検知部の上面によって閉止され、前記手検知部を平行移動させ、前記包囲壁の奥側に位置している場合に開口するという構成を有する。
【００１４】
これにより、手検知部移動手段が、手検知部を平行移動することによって包囲壁の奥側に位置させて、第二の吹き出し口を開口した状態で送風すると、検知面に付着した水滴やゴミに対して送風による力と重力がともに検知面上を滑り落ちさせる方向に働くこととなるので、検知面に付着した水滴やゴミを効率良く除去でき、誤動作の発生を防ぐことができる。
【００１５】
また、請求項４記載の手乾燥装置は、制御部は、手検知部の清浄が必要か否かを判断する清浄要否判定手段と、手乾燥動作、手検知部清浄動作、停止の３つのうちいずれか一つの動作を選択する動作選択手段と、前記動作選択手段の選択結果に基づいて手検知部移動手段の動作を制御する移動制御手段と、前記選択結果に基づいて送風手段の動作を制御する送風制御手段を備え、前記動作選択手段は、前記清浄要否判定手段からの信号と、手検知部からの信号と、人検知センサからの信号を用いて、手検知部からの信号が検知ありとなっている場合に手乾燥動作、手検知部が検知なしで人検知センサが検知ありとなっているときは停止、手検知部と人検知センサからの信号がともに検知なしとなっているときは、前記清浄要否判定手段により清浄が不要と判断された場合は停止、清浄が必要と判断された場合は手検知部清浄動作と判定するという構成を有する。
【００１６】
これにより、動作選択手段は、清浄要否判定手段と手検知部と人検知センサの入力を用いて手乾燥動作、手検知部清浄動作、停止の３つのうちいずれか一つの動作を選択することにより、本来の機能である手乾燥動作の合間の、人がいないタイミングで、手検知部を移動して第二の吹き出し口を開口させ、送風手段で送風を行う手検知部清浄動作をすることができ、誤動作の発生を防ぐことができる。
【００１７】
また、請求項５記載の手乾燥装置は、送風制御手段は、動作選択手段で手乾燥運転または手検知部清浄動作が選択された場合は、前記送風手段を駆動して送風させ、動作選択手段で停止が選択された場合は、前記送風手段を停止させ、移動制御手段は、動作選択手段で手乾燥運転または停止が選択された場合は、第二の吹き出し口を閉止するように手検知部移動手段を駆動し、動作選択手段で手検知部清浄動作が選択された場合は、前記第二の吹き出し口を開口するように手検知部移動手段を駆動するという構成を有する。
【００１８】
これにより、動作選択手段によって手検知部清浄動作が選択された場合に、送風制御手段により送風手段を駆動し、移動制御手段によって手検知部移動手段を駆動して第二の吹き出し口を開口させることにより、手検知部に風を当て、付着した水滴やゴミを除去することができ、誤動作の発生を防ぐことができる。
【００１９】
また、請求項６記載の手乾燥装置は、清浄要否判定手段は、過去の運転履歴を記憶する記憶手段を備え、運転時間の合計が所定の時間に達している場合または運転回数が所定の回数に達している場合は清浄必要と判定し、所定の時間または回数に達していない場合は清浄不要と判定するという構成を有する。
【００２０】
これにより、清浄要否判定手段は、記憶手段によって記憶された過去の運転履歴を用いて手検知部清浄動作の要否を判定することにより、不必要な頻度で清浄することや清浄の頻度が低くなりすぎることを防げるので、適切な頻度で手検知部の清浄ができる。
【００２１】
以下、本発明の実施の形態について図面を参照しながら説明する。
【００２２】
（実施の形態１）
図１は、本発明の実施の形態１における手乾燥装置の構成を表す斜視図である。図１に示すように、手乾燥装置本体１は、箱体である。手乾燥装置本体１は、本体正面側に人検知センサ２を備え、手乾燥装置本体１の天面の開口部分から手を抜き差しできる手挿入部３を有する。人検知センサ２は赤外線により人の有無を検知する人感センサ、または、手乾燥装置本体１が設置された室内の照明によって人の有無を検知する照度センサなどが用いられる。
【００２３】
手挿入部３には、手挿入部３内の手を検知する手検知部４と、手挿入部３に入れられた手に向かって空気を吹き出す第一の吹き出し口５と、手検知部４により閉止できる第二の吹き出し口６を有している。手検知部４は、筒状容器７の中に手検知センサ８が入ったものである。手検知センサ８は、例えば赤外線発光ＬＥＤとその対面に配置した受光素子の対で構成した遮断型のセンサであり、赤外線発光ＬＥＤの発光に対して受光素子で受光があれば手検知なし、受光がなければ手検知ありとするものである。赤外線発光に対して同じ側の面で受光し、手に反射した赤外線を受光した場合に手検知ありとする反射型のセンサを用いてもよい。第一の吹き出し口５は、水平方向に並んだ複数の穴からなり、第二の吹き出し口６は、水平方向に空けられたスリット状の開口であり、第一の吹き出し口５よりも大きな開口面積を持つ。
【００２４】
手乾燥装置本体１内部には、手挿入部３に向かって送風する送風手段９と、手検知部４を回転または平行移動させる手検知部移動手段１０と、手検知部４と人検知センサ２からの情報を用いて送風手段９と手検知部移動手段１０の動作を制御する制御部１１を備えている。送風手段９はモータで駆動し、送風するものである。例えば、手検知部移動手段１０はステッピングモータであり、手検知部４を回転させることができる。
【００２５】
図２は、本発明実施の形態１における手乾燥装置の動作を示す本体上部の側断面図である。図２（ａ）に示すように、手乾燥装置本体１内部には手挿入部３内の対向する内壁１２の裏側に沿ってそれぞれ形成され、送風手段９によって送風された風が手挿入部３へ送られる際に通過する風路１３を備え、内壁１２は、手検知部４の一部を包囲する包囲壁１４を有する。
【００２６】
手検知部４は、発光側１５と受光側１６の１対で手を検知するもので、手検知部４の発光側１５は、円周面１７と平面１８を持つ筒状容器７内に赤外線発光ＬＥＤが入ったもので、受光側１６は、同形状の筒状容器７内に受光素子が入っているものである。発光側１５と受光側１６は、それぞれ筒状容器７の平面１８側に手検知センサ８の発光面と受光面を向けて、この平面１８を検知面１９としている。
【００２７】
検知面１９は、停止時または手乾燥動作時は、手挿入部３内へ向いて鉛直に近い角度となっていて、筒状の手検知部４が水平になるよう配置してある。
【００２８】
包囲壁１４は、手検知部４の円周面１７に沿って密着する曲面部２０を形成し、曲面部２０の上部に第二の吹き出し口６を有する。
【００２９】
第二の吹き出し口６は、図２（ａ）のように、検知面１９が手挿入部３内へ向いて鉛直になっているときは手検知部４の円周面１７によって閉止され、図２（ｂ）のように、手検知部移動手段１０によって手検知部４を回転させ、検知面１９が鉛直よりも所定の角度だけ上方を向いている場合に開口して、手挿入部３と風路１３を連通させるものである。
【００３０】
図３は、本発明実施の形態１における手乾燥装置の構成を示すブロック図である。
【００３１】
図３に示すように、制御部１１は、手検知部４の清浄が必要か否かを判断する清浄要否判定手段２１と、手乾燥動作、手検知部清浄動作、停止の３つのうちいずれか一つの動作を選択する動作選択手段２２と、動作選択手段２２の選択結果に基づいて手検知部移動手段１０の動作を制御する移動制御手段２３と、動作選択手段２２の選択結果に基づいて送風手段９の動作を制御する送風制御手段２４を備えている。
【００３２】
清浄要否判定手段２１は、過去の運転履歴を記憶する記憶手段２５を備え、運転時間の合計が所定の時間に達している場合または運転回数が所定の回数に達している場合は清浄必要と判定し、所定の時間または回数に達していない場合は清浄不要と判定するものである。
【００３３】
動作選択手段２２は、清浄要否判定手段２１からの信号と、手検知部４からの信号と、人検知センサ２からの信号を用いて、動作を選択するものである。具体的には、動作選択手段２２は、手検知部４からの信号が検知ありとなっている場合に手乾燥動作、手検知部４が検知なしで人検知センサ２が検知ありとなっているときは停止、手検知部４と人検知センサ２からの信号がともに検知なしとなっているときは、清浄要否判定手段２１により清浄が不要と判断された場合は停止、清浄が必要と判断された場合は手検知部清浄動作を選択するものである。ただし、人検知がなく手検知ありの場合は、手検知部４に付着した水滴やゴミによる誤動作の可能性があるため、所定の時間だけ手乾燥動作を選択した後、検知状態に変化がなければ手検知部清浄動作に切り替えるものとする。
【００３４】
移動制御手段２３は、動作選択手段２２で手乾燥運転または停止が選択された場合は、第二の吹き出し口６を閉止するように手検知部移動手段１０を駆動し、動作選択手段２２で手検知部清浄動作が選択された場合は、第二の吹き出し口６を開口するように手検知部移動手段１０を駆動するものである。
【００３５】
送風制御手段２４は、動作選択手段２２で手乾燥運転または手検知部清浄動作が選択された場合は、送風手段９を駆動して送風させ、動作選択手段２２で停止が選択された場合は、送風手段９を停止させるものである。
【００３６】
ところで、従来の手乾燥装置では、使用時に飛散した水滴やゴミがセンサに付着し、その水滴やゴミによってセンサが反応することにより手検知ありと認識し、運転を開始する誤動作が発生する恐れがあるという課題があった。
【００３７】
そこで、本実施の形態では、通常運転中以外にセンサに付着した水滴やゴミに風を当てることにより水滴やゴミを除去できるものとした。特に、回転可能な手検知部４と、手検知部４により閉止できる第二の吹き出し口６を設け、手検知部移動手段１０によって手検知部４を回転させることにより第二の吹き出し口６を開口して手挿入部３と風路１３を連通させる構成を備えたものである。
【００３８】
このような構成とすることにより、手検知部移動手段１０によって手検知部４を回転させて第二の吹き出し口６が開口した状態で送風することで、手検知部表面に付着した水滴やゴミを除去することができ、誤動作の発生を防ぐことができる。
【００３９】
以下、その詳細な流れについて説明する。
【００４０】
手乾燥装置本体１は、電源が投入されると、人検知センサ２により人検知すなわち使用者の検知を開始するとともに、移動制御手段２３により、手検知部移動手段１０を駆動し、手検知部４を回転させることによって、図２（ａ）のように、手検知部４の発光側１５と受光側１６の検知面１９がともに手挿入部３内へ向いて鉛直になり、手挿入部３内の手検知が可能な状態となるようにする。ここで、検知面１９が鉛直より下向きの状態にはできないように手検知部４の可動角度範囲を制限しておくことにより、検知面１９が鉛直になった状態で停止させることができる。
【００４１】
手乾燥装置本体１が設置された室内に使用者が入ると、人検知センサ２が使用者を検知し、人検知センサ２から制御部１１に送られる信号が人検知ありとなる。この状態から使用者が手乾燥装置本体１の手挿入部３内に手を入れると、手検知部４が手を検知し、手検知部４から制御部１１に送られる信号が手検知ありとなる。図３に示す制御部１１では、動作選択手段２２で手検知部４と人検知センサ２からの信号を確認し、人検知ありで手検知ありとなっているときは、手乾燥動作を選択する。
【００４２】
手乾燥動作が選択されると、移動制御手段２３では、検知面１９が鉛直になるように手検知部移動手段１０にパルスを与える。ここで、上述のとおり、検知面１９が鉛直より下向きの状態にはならないため、パルスを与える前から検知面１９が鉛直になっていた場合は見かけ上、手検知部４は動かないこととなるので、パルスを与える前から検知面１９が鉛直になっている場合は、パルスを与える必要はない。同じく手乾燥動作が選択されると、送風制御手段２４では、送風手段９を駆動して送風をすることにより、手乾燥運転を開始させる。このとき、清浄要否判定手段２１では、運転開始とともにタイマをスタートさせて運転時間を計測し、図３に示す記憶手段２５で累積運転時間と、累積運転回数を記憶する。
【００４３】
次に、手乾燥運転状態から使用者が手挿入部３内から手を抜いた場合、人検知センサ２から制御部１１に送られる信号が人検知ありのまま、手検知部４から制御部１１に送られる信号が手検知なしとなり、動作選択手段２２では停止が選択される。
【００４４】
停止が選択された場合、移動制御手段２３は、手乾燥動作が選択された場合と同様に、検知面１９が鉛直になるように制御する。また、送風制御手段２４は、送風手段９の駆動を止めて停止させる。
【００４５】
さらに、使用者が退室し、人検知センサ２からの信号が人検知なしとなると、動作選択手段２２では、清浄要否判定手段２１からの信号により動作を選択する。すなわち、動作選択手段２２では、清浄要否判定手段２１により手検知部４の清浄が必要と判定された場合は手検知部清浄動作を選択し、清浄が不要と判定された場合は停止を選択する。
【００４６】
ここで、清浄要否判定手段２１では、記憶手段２５により記憶された累積運転時間と累積運転回数をあらかじめ定められた閾値である清浄必要運転時間と清浄必要運転回数とそれぞれ比較し、少なくともいずれか一方が閾値以上となっている場合に清浄が必要と判定する。また、清浄要否判定手段２１は、動作選択手段２２により手検知部清浄動作が選択され、手検知部清浄動作が終了した時に、記憶手段２５で記憶している累積運転時間と累積運転回数をクリアすることにより、適切な頻度で清浄が必要と判定することができる。
【００４７】
動作選択手段２２で手検知部清浄動作が選択された場合、移動制御手段２３は、検知面１９が鉛直よりも所定の角度だけ上方を向くように手検知部移動手段１０にパルスを与える。また、送風制御手段２４では送風手段９を駆動し送風を開始する。このとき、手検知部移動手段１０による手検知部４の回転が完了する時間分遅らせてから送風手段９の駆動を開始する構成としてもよい。所定の時間送風を継続した後、送風手段９の駆動を止める。同時に移動制御手段２３では、検知面１９が鉛直になるよう手検知部移動手段１０にパルスを与える。
【００４８】
手検知部清浄動作が行われているとき、風路１３と手挿入部３は第一の吹き出し口５と第二の吹き出し口６の二箇所で連通されていることとなるが、この状態で送風手段９により送風を行った場合、第二の吹き出し口６は、第一の吹き出し口５よりも開口面積が大きく形成していることから抵抗が少なく、より多くの風が第二の吹き出し口６を通って検知面１９上を通過することができる。
【００４９】
また、移動制御手段２３の作用によって、手検知部４の発光側１５と受光側１６はそれぞれ斜め上を向くように回転し、ともに検知面１９の下端は内壁１２よりも突出した状態とすることができる。これにより、手検知部４の上部にある第二の吹き出し口６から風が送られたとき、検知面１９上にある水滴やゴミに対して、送風による力と重力による力がともに検知面１９上を滑り落ちさせる方向に働くため、効率良く水滴やゴミを除去できる。
【００５０】
また、手検知部４を回転させる際は、発光側１５で発光した赤外線を受光側１６で受けることができなくなるため、制御部１１内で、手検知部４の信号を無効とし、手検知なしの認識とする。このことから、手検知部清浄動作中に手検知ありとなることは起こりえないが、手検知部清浄動作中に人検知ありとなった場合は、動作選択手段２２で停止が選択されることになるため、手検知部清浄動作を中止し、停止状態で待機することにより、本来の使用方法である手乾燥動作を優先させることができる。手検知部清浄動作を中止した場合は、清浄要否判定手段２１の記憶手段２５で記憶している累積運転時間と累積運転回数をクリアしないため、清浄要否判定手段２１では次の判定時も、清浄が必要と判定することとなり、手検知部清浄動作が未完了の場合は、やり直すことができる。
【００５１】
以上のように、手検知部表面に付着した水滴やゴミを除去することができるので、誤動作の発生を防ぐことができる。
【００５２】
（実施の形態２）
実施の形態１では、手検知部移動手段１０の動作として、手検知部４を回転させて第二の吹き出し口６を開口させる形態を説明した。
【００５３】
本実施の形態では、図４、図５を参照しながら手検知部２６を平行移動させて第二の吹き出し口２７を開口させる形態について説明する。なお、簡潔な説明をするために、図４、図５において、図２、図３と同様の構成要素については同一の符号を付し、その詳細な説明は省略する。
【００５４】
すなわち、図４、図５に示すように、実施の形態２の手乾燥装置の構成は、実施の形態１の手乾燥装置の手検知部４と、第二の吹き出し口６と、筒状容器７と、手検知部移動手段１０と、包囲壁１４と、検知面１９と、移動制御手段２３の構成に対して、手検知部２６と、第二の吹き出し口２７と、筒状容器２８と、手検知部移動手段２９と、包囲壁３０と、検知面３１と、移動制御手段３２の構成に変更したものである。
【００５５】
図４（ａ）において、手検知部２６は、筒状容器２８の中に手検知センサ８が入ったものである。筒状容器２８は、直方体の形状で、長手方向の平面のうち一面を検知面３１とし、実施の形態１と同様に発光側１５と受光側１６の１対で手を検知するものである。また、手検知部２６は、検知面３１が手挿入部３内へ向いて鉛直になり、検知面３１と背反する面が風路１３側になるよう配置している。
【００５６】
手検知部移動手段２９は、ソレノイドとバネからなり、通電していないときはピンが飛び出し、通電するとピンが引き込まれる機構を利用して、手検知部２６を平行移動させられるものである。
【００５７】
包囲壁３０は、手検知部２６の上面３３と下面３４それぞれに沿って密着する上包囲面３５、下包囲面３６を持ち、包囲壁３０で囲んで装着した手検知部２６を手検知部移動手段２９によって包囲壁３０の奥側へ平行移動させることのできる形状であり、手検知部２６の上面３３に沿わせた上包囲面３５に第二の吹き出し口２７を有している。
【００５８】
第二の吹き出し口２７は、図４（ａ）のように、手検知部２６が手挿入部３側に位置しているときは手検知部２６の上面３３によって閉止して、図４（ｂ）のように、手検知部移動手段２９によって手検知部２６を平行移動させ、包囲壁３０の奥側に位置している場合に開口するように形成する。すなわち、第二の吹き出し口２７は、包囲壁３０の上包囲面３５上で包囲壁３０の入口側に配置したものである。
【００５９】
図５において、移動制御手段３２は、実施の形態１と同様に、動作選択手段２２で選択された動作によって手検知部移動手段２９を駆動するが、駆動方法としては、停止または手乾燥動作が選択された場合は、手検知部移動手段２９への通電を停止し、手検知部清浄動作が選択された場合は、手検知部移動手段２９への通電を行うことにより、手検知部２６を平行移動させることができる。
【００６０】
手検知部清浄動作が行われているとき、手検知部２６の発光側１５と受光側１６はそれぞれ左右逆方向に平行移動し、検知面３１はともに、第二の吹き出し口２７よりも風路１３側に位置することとなる。
【００６１】
これにより、手検知部２６の上部にある第二の吹き出し口２７から風が送られたとき、検知面３１上にある水滴やゴミに対して、送風による力と重力による力がともに検知面３１上を滑り落ちさせる方向に働くため、効率良く水滴やゴミを除去できる。
【００６２】
また、手検知部４を平行移動させた場合は、実施の形態１と異なり、移動後も発光側１５で発光した赤外線を受光側１６で受けることが可能であるので、制御部１１内で手検知部２６の信号を無効とする必要はない。このことから、手検知部清浄動作中に手検知ありとなることが起こり得る。手検知部清浄動作中に手検知ありとなった場合は、動作選択手段２２で手乾燥動作が選択されることになるため、手検知部清浄動作を中止し、本来の使用方法である手乾燥動作を優先させることができる。
【００６３】
このように、上記構成において、手検知部移動手段２９によって手検知部２６を平行移動させて第二の吹き出し口２７が開口した状態で送風することで、手検知部２６表面に付着した水滴やゴミを除去することができ、誤動作の発生を防ぐことができる。
【産業上の利用可能性】
【００６４】
本発明にかかる手乾燥装置は、使用時にセンサ部分に飛散した水滴やゴミの付着により誤動作することを防止するものであり、洗面所やトイレ等で手を洗い、濡れた手を乾燥させる手乾燥装置として有用である。
【符号の説明】
【００６５】
１  手乾燥装置本体
２  人検知センサ
３  手挿入部
４  手検知部
５  第一の吹き出し口
６  第二の吹き出し口
７  筒状容器
８  手検知センサ
９  送風手段
１０  手検知部移動手段
１１  制御部
１２  内壁
１３  風路
１４  包囲壁
１５  発光側
１６  受光側
１７  円周面
１８  平面
１９  検知面
２０  曲面部
２１  清浄要否判定手段
２２  動作選択手段
２３  移動制御手段
２４  送風制御手段
２５  記憶手段
２６  手検知部
２７  第二の吹き出し口
２８  筒状容器
２９  手検知部移動手段
３０  包囲壁
３１  検知面
３２  移動制御手段
３３  上面
３４  下面
３５  上包囲面
３６  下包囲面
【図１】
2014117549.tif 000003
【図２】
2014117549.tif 000004
【図３】
2014117549.tif 000005
【図４】
2014117549.tif 000006
【図５】
2014117549.tif 000007